(57)【要約】【課題】温度ムラの少ない空気を浴室内に供給し、浴室内を乾燥させることが可能な浴室乾燥機を提供する。【解決手段】複数のヒータ４４ａ、４４ｂ、４４ｃは、吹出口３５の長手方向に沿って互いに間隔を空けて並べられ、隣り合うヒータ４４ａ、４４ｂ間の流路であるヒータ間流路４５１と、隣り合うヒータ４４ｂ、４４ｃ間の流路であるヒータ間流路４５２に配置され、複数のヒータ４４ａ、４４ｂ、４４ｃの少なくとも１つに接続されるとともに、ヒータ４４ａ、４４ｂ、４４ｃが発する熱を、ヒータ間流路４５１、４５２を通過する空気に伝達する伝熱部材５０を備える。【選択図】図３
2015194311.tif 000002
【特許請求の範囲】
【請求項１】
浴室内を乾燥させる浴室乾燥機であって、
前記浴室内の空気を吸い込む吸込部と、
前記吸込部から吸い込まれた空気を流す内部流路と、
前記内部流路を流れた空気を前記浴室内に吹き出す吹出部と、
前記吹出部近傍の前記内部流路に設けられ、発熱して空気を昇温させる複数のヒータと、を備え、
前記複数のヒータは、前記吹出部の長手方向に沿って互いに間隔を空けて並べられ、
隣り合う前記ヒータ間の流路であるヒータ間流路に配置され、前記複数のヒータの少なくとも１つに接続されるとともに、前記ヒータが発する熱を、前記ヒータ間流路を通過する空気に伝達する熱伝達手段を備えていることを特徴とする浴室乾燥機。
【請求項２】
前記熱伝達手段は、前記ヒータ間流路に突出する突出部を有していることを特徴とする請求項１に記載の浴室乾燥機。
【請求項３】
前記内部流路は、空気の前記熱伝達手段への指向性を高めるガイド手段を有していることを特徴とする請求項２に記載の浴室乾燥機。
【請求項４】
前記内部流路は、前記複数のヒータが並ぶ方向の一端側から他端側に向けて空気を流すことで前記吹出部に空気を供給するように構成され、
前記一端側に配置される前記ヒータの発熱量は、前記他端側に配置される前記ヒータの発熱量よりも小さいことを特徴とする請求項２又は３に記載の浴室乾燥機。
【請求項５】
前記内部流路は、第１内部流路と、該第１内部流路の下流側で且つ該第１内部流路の内部に形成され、前記複数のヒータ及び前記熱伝達手段が配置される第２内部流路とを有し、
前記第１内部流路を流れる空気が、前記第２内部流路から放出される熱を回収するように構成されていることを特徴とする請求項１乃至４のいずれか１項に記載の浴室乾燥機。
【発明の詳細な説明】
【技術分野】
【０００１】
本発明は、浴室内を乾燥させる浴室乾燥機に関する。
【背景技術】
【０００２】
浴室内に気流を生成することで、浴室内を乾燥させる浴室乾燥機が広く普及している。このような浴室乾燥機では、ファンの駆動により浴室内の空気を吸い込み、当該空気を浴室内に吹き出して戻すものが一般的である。浴室内を循環する気流により、浴室内の残水の蒸発が促され、カビの発生を抑制することができる。
【０００３】
また、浴室乾燥機では、浴室内から吸い込んだ空気を加熱し、温風として浴室内に吹き出すことも一般的に行われている。熱を発するヒータにより、循環する空気を繰り返し加熱することで、浴室内の温度を高め、残水を迅速に蒸発させ、カビの発生を確実に抑制することができる。
【０００４】
浴室内においては、入浴者が洗身や洗髪を行う場所である洗い場の隅部や、天井の隅部などでカビの発生が顕著となる。このため、浴室乾燥機は、浴室の床面、壁面、及び天井の中央部はもちろん、それらの隅部にも気流を行きわたらせ、残水の蒸発を促す必要がある。このように、浴室の床面等の中央部と隅部とに気流を行きわたらせるため、浴室乾燥機の吹出口を扁平形状に形成することが考えられる。例えば、下記特許文献１には、扁平形状の筐体及び吹出口を有する温風送風装置が記載されている。
【先行技術文献】
【特許文献】
【０００５】
【特許文献１】特開平８−２９６８９２号公報
【発明の概要】
【発明が解決しようとする課題】
【０００６】
しかしながら、上記特許文献１記載の温風送風装置のように、吹出口が扁平形状を呈している場合、吹き出す空気を高温にすることが困難であったり、吹き出す空気に温度ムラが生じたりするという課題があった。以下、この課題について詳述する。
【０００７】
まず、このように空気を吹き出す装置では、ヒータを吹出口から大きく離れた位置に配置すると、ヒータから吹出口に至る流路長が長くなるため、空気が当該流路を流れる間に流路壁面などによって熱を奪われる。したがって、ヒータにより加熱して空気を昇温させたにもかかわらず、吹出口に至る頃には温度が低下してしまうおそれがある。
【０００８】
このように、吹出口から吹き出す空気の温度が低下する不都合を回避するため、ヒータは吹出口の近傍に配置されることが一般的である。これにより、空気はヒータにより加熱された直後に、高温のまま浴室内に吹き出される。
【０００９】
しかしながら、上記特許文献１の温風送風装置のように、吹出口が扁平形状を呈している場合、吹出口の長手方向の全域にわたる大型のヒータを用意することは、製造コストの面などから難しい。このため、吹出口の長手方向に沿って、複数のヒータを互いに間隔を空けて並べる方法が考えられるが、このような構成を採用した場合、隣り合うヒータ間を通過する空気の加熱が不十分となる。このため、扁平形状の吹出口から吹き出された空気は、吹出口の長手方向に温度ムラが生じるというおそれがあった。
【００１０】
本発明はこのような課題に鑑みてなされたものであり、その目的は、温度ムラの少ない空気を浴室内に吹き出し、浴室内を乾燥させることが可能な浴室乾燥機を提供することにある。
【課題を解決するための手段】
【００１１】
上記課題を解決するために、本発明に係る浴室乾燥機は、浴室内を乾燥させる浴室乾燥機であって、前記浴室内の空気を吸い込む吸込部と、前記吸込部から吸い込まれた空気を流す内部流路と、前記内部流路を流れた空気を前記浴室内に吹き出す吹出部と、前記吹出部近傍の前記内部流路に設けられ、発熱して空気を昇温させる複数のヒータと、を備え、前記複数のヒータは、前記吹出部の長手方向に沿って互いに間隔を空けて並べられ、隣り合う前記ヒータ間の流路であるヒータ間流路に配置され、前記複数のヒータの少なくとも１つに接続されるとともに、前記ヒータが発する熱を、前記ヒータ間流路を通過する空気に伝達する熱伝達手段を備えていることを特徴としている。
【００１２】
本発明に係る浴室乾燥機によれば、ヒータが発する熱が、熱伝達手段によってヒータ間流路を通過する空気に伝達され、当該空気が昇温するため、吹出口の長手方向における空気の温度ムラを抑制することが可能となる。
【００１３】
また本発明に係る浴室乾燥機では、前記熱伝達手段は、前記ヒータ間流路に突出する突出部を有していることも好ましい。
【００１４】
この好ましい態様では、熱伝達手段が突出部を有することで、ヒータ間流路を通過する空気との接触面積を大きくし、空気に確実に熱を伝達して昇温させることができる。
【００１５】
また本発明に係る浴室乾燥機では、前記内部流路は、空気の前記熱伝達手段への指向性を高めるガイド手段を有していることも好ましい。
【００１６】
この好ましい態様では、内部流路を流れる空気をガイド手段によって熱伝達手段に指向させ、熱伝達手段において積極的に受熱させることで、空気を確実に昇温させることができる。
【００１７】
また本発明に係る浴室乾燥機では、前記内部流路は、前記複数のヒータが並ぶ方向の一端側から他端側に向けて空気を流すことで前記吹出部に空気を供給するように構成され、前記一端側に配置される前記ヒータの発熱量は、前記他端側に配置される前記ヒータの発熱量よりも小さいことも好ましい。
【００１８】
ヒータが並ぶ方向の他端側（下流側）の空気ほど、一端側（上流側）からそこに至るまでに多くのヒータの近傍を通過して加熱されるため、一端側と他端側との間で空気に温度ムラが生じやすくなる。そこで、この好ましい態様では、一端側に配置されるヒータの発熱量を、他端側に配置されたヒータの発熱量よりも小さくすることで、その温度ムラを小さくすることが可能となる。
【００１９】
また本発明に係る浴室乾燥機では、前記内部流路は、第１内部流路と、該第１内部流路の下流側で且つ該第１内部流路の内部に形成され、前記複数のヒータ及び前記熱伝達手段が配置される第２内部流路とを有し、前記第１内部流路を流れる空気が、前記第２内部流路から放出される熱を回収するように構成されていることも好ましい。
【００２０】
この好ましい態様では、第２内部流路に配置された複数のヒータが発した熱が第１内部流路を流れる空気によって回収される。これにより、ヒータ及び熱伝達手段に供給する空気の温度が高まるため、複数のヒータの発熱量を小さくすることが可能となり、当該空気の温度とヒータの温度の差が小さくなりやすく、温風の温度ムラをさらに抑制することが可能となる。
【発明の効果】
【００２１】
本発明によれば、温度ムラの少ない空気を浴室内に吹き出し、浴室内を乾燥させることが可能な浴室乾燥機を提供することができる。
【図面の簡単な説明】
【００２２】
【図１】本発明の第１実施形態に係る浴室乾燥機を搭載した浴室乾燥機付きユニットバスを表す斜視模式図である。
【図２】本発明の第１実施形態に係る浴室乾燥機の送気装置を表す斜視模式図である。
【図３】本発明の第１実施形態に係る浴室乾燥機の吹出口近傍を表す斜視断面図である。
【図４】本発明の第１実施形態に係る浴室乾燥機の吹出口近傍を表す平面視模式図である。
【図５】本発明の第２実施形態に係る浴室乾燥機の吹出口近傍を表す斜視断面図である。
【図６】本発明の第２実施形態に係る浴室乾燥機の吹出口近傍を表す平面視模式図である。
【図７】本発明の第３実施形態に係る浴室乾燥機の吹出口近傍を表す斜視断面図である。
【図８】本発明の第３実施形態に係る浴室乾燥機の吹出口近傍を表す平面視模式図である。
【図９】本発明の第４実施形態に係る浴室乾燥機の送気装置を表す平面視模式図である。
【図１０】本発明の第５実施形態に係る浴室乾燥機の送気装置を表す側面視模式図である。
【発明を実施するための形態】
【００２３】
以下、添付図面を参照しながら本発明の実施形態について説明する。理解を容易にするため、各図面において同一の構成要素に対しては可能な限り同一の符号を付し、重複する説明は省略する。
【００２４】
まず、図１を参照して、本発明の第１実施形態に係る浴室乾燥機の概略を説明する。図１は、本発明の第１実施形態に係る浴室乾燥機を搭載した浴室乾燥機付きユニットバス１を表す斜視模式図である。
【００２５】
図１に表すように、浴室乾燥機付きユニットバス１は、ユニットバス２と、浴室乾燥機３と、を有している。
【００２６】
ユニットバス２は、正面パネル２１と、背面パネル２２と、左側面パネル２３と、右側面パネル２４と、床パネル２５と、天井パネル２６と、を有している。ユニットバス２の内部には、これら６枚のパネルによって囲まれる略直方体形状の浴室空間２０が形成されている。
【００２７】
以下、背面パネル２２から正面パネル２１にわたる方向を「奥行方向」という。また、左側面パネル２３から右側面パネル２４にわたる方向を「左右方向」という。さらに、床パネル２５から天井パネル２６にわたる方向を「上下方向」という。
【００２８】
浴室空間２０には、浴槽２Ｂが設けられている。浴槽２Ｂは、左右方向がその長手方向となるように設けられ、背面パネル２２寄りの位置に配置されている。床パネル２５の上面のうち、浴槽２Ｂよりも正面パネル２１側の部分は、入浴者が洗身や洗髪を行う場所となる洗い場２Ｗとされており、浴槽２Ｂと洗い場２Ｗとは奥行方向に並んでいる。浴槽２Ｂと洗い場２Ｗが並べられることにより、浴室空間２０の下部には段差が生じることとなり、洗い場２Ｗの端部と、浴槽２Ｂの端部とを繋ぐように、エプロン２Ｅが立設されている。
【００２９】
浴室乾燥機３は、吸気装置３１と、連通管３３と、送気装置３４と、を有しており、浴室空間２０の天井パネル２６に設けられている。吸気装置３１は、その下方に開設された吸込口３２から浴室空間２０内の空気を吸い込み、その内部に取り込む装置である。送気装置３４は、吸気装置３１と左右方向に間隔を空けて配置されており、内部に取り込んだ空気を加熱し、その下方に開設された吹出口３５から浴室空間２０に吹き出す装置である。連通管３３は、吸気装置３１及び送気装置３４の内部に連通しており、吸気装置３１の内部に取り込まれた空気を、送気装置３４の内部に流す管状部材である。尚、図１では、吸気装置３１及び送気装置３４の内部構成の図示を省略している。
【００３０】
浴室乾燥機３が運転することにより、浴室空間２０の空気は、吸気装置３１によって吸い込まれ、その後、送気装置３４によって浴室空間２０に吹き出して戻される。すなわち、浴室乾燥機３を介して浴室空間２０の空気が循環することとなる。循環しながら送気装置３４によって繰り返し加熱されることで、浴室空間２０の空気が昇温していく。
【００３１】
吸気装置３１の吸込口３２及び送気装置３４の吹出口３５は、いずれも、その奥行方向寸法が、左右方向寸法よりも極端に大きい扁平形状のスリットとなっている。このため、吸込口３２と吹出口３５は、それぞれ空気の吸い込みと吹き出しを行うことにより、浴室空間２０に幅広のカーテン状の気流を形成する。
【００３２】
次に、図２を参照して、送気装置３４の構成について説明する。図２は、本発明の第１実施形態に係る浴室乾燥機の送気装置を表す斜視模式図である。
【００３３】
図２に表すように、送気装置３４は、ケーシング３６と、温風供給ユニット４０と、を有している。
【００３４】
ケーシング３６は、送気装置３４の筐体となる金属製箱体であり、その外形は奥行方向を長手方向とする略直方体形状を呈している。ケーシング３６の吸気装置３１側の側面には、ケーシング３６の内部に連通する連通口３７が開設されており、連通管３３の端部がこの連通口３７に接続されている。
【００３５】
温風供給ユニット４０は、空気を加熱して浴室空間２０に吹き出すためのユニットであり、ケーシング３６の内部に配置されている。温風供給ユニット４０は、ファン４１と、パイプ４３と、を有している。また、パイプ４３の内部には、３つのヒータ４４ａ、４４ｂ、４４ｃと、伝熱部材５０と、が配置されている。
【００３６】
ファン４１は、電力の供給を受けて運転する電動送風機であり、ここでは遠心型ファンを採用している。ファン４１は、電力の供給を受けるとモータ（図示せず）が回転駆動し、その出力軸に固定されたシロッコファン（図示せず）が、上下方向に延びる軸を中心として回転する。これにより、上方に向けて開口する吸引口４１ａから空気が吸引され、奥行方向で背面パネル２２側に向けて吹き出される。
【００３７】
パイプ４３は、ファン４１と奥行方向に隣り合うように配置された金属製の管状部材である。パイプ４３は、ファン４１とは反対側の端部４３ｂが閉塞されている一方で、ファン４１側の端部４３ａが開放されている。これにより、ファン４１が吹き出した空気は、端部４３ａからパイプ４３の内部に流入する。
【００３８】
ケーシング３６の内部は、パイプ４３が配置されることにより、パイプ４３の外部の第１内部流路４０１と、第１内部流路４０１の下流側の流路であってパイプ４３の内部の第２内部流路４０２とに区画される。すなわち、連通口３７からケーシング３６の内部に取り込まれ、第１内部流路を奥行方向で正面パネル２１側に向かって流れた空気は、ファン４１によって吹き出され、折り返すようにして第２内部流路を奥行方向で背面パネル２２側に向かって流れることになる。
【００３９】
ヒータ４４ａ、４４ｂ、４４ｃは、いずれも、第２内部流路４０２の吹出口３５の近傍に配置され、電力の供給を受けて発熱する。また、ヒータ４４ａ、４４ｂ、４４ｃは、吹出口３５の長手方向（奥行方向）に沿って、互いに間隔を空けて並べられている。
【００４０】
伝熱部材５０は、高い熱伝導性を有する金属材料で形成されており、ヒータ４４ａ、４４ｂ、４４ｃと当接して固定されている。伝熱部材５０は、吹出口３５の近傍に配置されており、隣り合うヒータ４４ａ、４４ｂ間の流路であるヒータ間流路４５１と、隣り合うヒータ４４ｂ、４４ｃ間の流路であるヒータ間流路４５２とを跨ぐように配置されている。
【００４１】
次に、図３及び図４を参照して、吹出口３５の近傍の構成と空気の流れについて説明する。図３は、本発明の第１実施形態に係る浴室乾燥機の吹出口近傍を表す斜視断面図である。図４は、本発明の第１実施形態に係る浴室乾燥機の吹出口近傍を表す平面視模式図である。
【００４２】
伝熱部材５０は、ヒータ間流路４５１とヒータ間流路４５２とに跨るように、吹出口３５の長手方向に沿って延びる板状の基部５１を有する。また、伝熱部材５０は、ヒータ間流路４５１とヒータ間流路４５２において、基部５１から左右方向に突出して吹出口３５の短手方向に跨る複数の突出部５２が形成されている。これにより、図４に表すように、伝熱部材５０は、その大半が吹出口３５と平面視で重合するように配置されている。
【００４３】
パイプ４３（図２参照）内に流入した空気は、吹出口３５を上方から下方に通過し、浴室空間２０に吹き出す。この際、ヒータ４４ａ、４４ｂ、４４ｃの近傍を通過する空気は、発熱して高温となっているヒータ４４ａ、４４ｂ、４４ｃからの熱伝達によって加熱され、高温となる。このため、空気はヒータ４４ａ、４４ｂ、４４ｃにより加熱された直後に、高温のまま浴室空間２０に吹き出す。
【００４４】
ここで、伝熱部材５０は、ヒータ４４ａ、４４ｂ、４４ｃが固定されている部位において、ヒータ４４ａ、４４ｂ、４４ｃが発する熱を受け、高温となっている。また、伝熱部材５０のうち、ヒータ間流路４５１及びヒータ間流路４５２を跨ぐ部位も、ヒータ４４ａ、４４ｂ、４４ｃ側からの伝熱部材５０内部の熱伝導によって加熱され、高温となっている。このため、ヒータ間流路４５１及びヒータ間流路４５２を通過する空気は、伝熱部材５０の表面を通過することで、伝熱部材５０からの熱伝達によって加熱されて高温となり、浴室空間２０に吹き出す。これにより、吹出口３５の長手方向における空気の温度ムラを抑制することが可能となる。
【００４５】
また、伝熱部材５０は、ヒータ間流路４５１とヒータ間流路４５２において複数の突出部５２が形成されているため、ヒータ間流路４５１、４５２を通過する空気との接触面積を大きくし、空気に確実に熱を伝達して昇温させることができる。
【００４６】
また、ケーシング３６の内部の流路を、第１内部流路４０１と、第１内部流路４０１の下流側で且つ第１内部流路４０１の内部に形成され、ヒータ４４ａ、４４ｂ、４４ｃが配置される第２内部流路４０２とで構成したことで、ヒータ４４ａ、４４ｂ、４４ｃが発した熱が第２内部流路４０２の外部に放出されても、その熱は第１内部流路４０１を流れる空気によって回収される。これにより、ヒータ４４ａ、４４ｂ、４４ｃ及び伝熱部材５０に供給される空気の温度が高まるため、ヒータ４４ａ、４４ｂ、４４ｃの発熱量を小さくすることが可能となり、吹出口３５の長手方向における空気の温度ムラをさらに抑制することが可能となる。
【００４７】
続いて、図５及び図６を参照して、本発明の第２実施形態に係る浴室乾燥機の概略を説明する。図５は、本発明の第２実施形態に係る浴室乾燥機の吹出口近傍を表す斜視断面図である。図６は、本発明の第２実施形態に係る浴室乾燥機の吹出口近傍を表す平面視模式図である。第２実施形態に係る浴室乾燥機は、伝熱部材６０の構成が第１実施形態に係る浴室乾燥機の伝熱部材５０と異なるものであり、その他の同一の構成については適宜説明を省略する。
【００４８】
第２実施形態に係る浴室乾燥機の伝熱部材６０は、吹出口３５の近傍に設けられており、ヒータ４４ａ、４４ｂ間の流路であるヒータ間流路４５１と、ヒータ４４ｂ、４４ｃ間の流路であるヒータ間流路４５２とを跨ぐように配置されている。
【００４９】
伝熱部材６０は、ヒータ４４ａ、４４ｂ、４４ｃに当接して固定される板状の基部６１を有する。また、伝熱部材６０は、ヒータ間流路４５１とヒータ間流路４５２において屈曲するとともに、左右方向に突出して吹出口３５を短手方向に跨ぐ複数の突出部６２１が形成されている。これにより、図６に表すように、伝熱部材５０は、その大半が吹出口３５と平面視で重合するように配置されている。
【００５０】
伝熱部材６０は、ヒータ４４ａ、４４ｂ、４４ｃが固定されている部位において、ヒータ４４ａ、４４ｂ、４４ｃが発する熱を受け、高温となっている。また、伝熱部材６０のうち、ヒータ間流路４５１及びヒータ間流路４５２を跨ぐ部位も、ヒータ４４ａ、４４ｂ、４４ｃ側からの伝熱部材６０内部の熱伝導によって加熱され、高温となっている。このため、ヒータ間流路４５１及びヒータ間流路４５２を通過する空気は、伝熱部材６０の表面を通過することで、伝熱部材６０からの熱伝達によって加熱されて高温となり、浴室空間２０に吹き出す。これにより、吹出口３５の長手方向における空気の温度ムラを抑制することが可能となる。
【００５１】
また、伝熱部材６０は、ヒータ間流路４５１とヒータ間流路４５２において、屈曲且つ突出する複数の突出部６２が形成されているため、ヒータ間流路４５１、４５２を通過する空気との接触面積を大きくし、空気に確実に熱を伝達して昇温させることができる。
【００５２】
続いて、図７及び図８を参照して、本発明の第３実施形態に係る浴室乾燥機の概略を説明する。図７は、本発明の第３実施形態に係る浴室乾燥機の吹出口近傍を表す斜視断面図である。図８は、本発明の第３実施形態に係る浴室乾燥機の吹出口近傍を表す平面視模式図である。第３実施形態に係る浴室乾燥機は、伝熱部材７０の構成が第１実施形態に係る浴室乾燥機の伝熱部材５０と異なるものであり、その他の同一の構成については適宜説明を省略する。
【００５３】
第３実施形態に係る浴室乾燥機の伝熱部材７０は、吹出口３５の近傍に設けられており、本体７１と、フィン７２と、を有している。
【００５４】
本体７１は、上下方向に開口する金属製の枠体であり、その下方の開口が吹出口３５と連通するように、吹出口３５の上方に配置されている。ヒータ４４ａ、４４ｂ、４４ｃは、この本体７１の側面に当接して固定されているとともに、奥行方向に互いに離間して配置されている。
【００５５】
フィン７２は、金属製の薄板を加工することで形成された部材であり、本体７１の枠の内壁に当接して固定されている。図８に表すように、フィン７２は、左右方向に往復しながら奥行方向に延びる蛇腹状に折曲加工されており、奥行方向においてフィン７２の配置が粗な区間７２１と、密な区間７２２とが交互に形成されるよう、部位によってピッチが異なるものとされている。詳細には、フィン７２は、ヒータ間流路４５１、４５２に対応する部位に、密な区間７２２が配置されるように折り曲げられている。
【００５６】
以上のように構成された伝熱部材７０では、パイプ４３（図２参照）内に流入した空気は、本体７１の枠内及び吹出口３５を上方から下方に順に通過し、浴室空間２０に吹き出す。伝熱部材７０の本体７１は、発熱するヒータ４４ａ、４４ｂ、４４ｃが発する熱によって加熱されて高温となっているため、本体７１の枠内を通過する空気は、この本体７１からの熱伝達により加熱される。
【００５７】
ここで、伝熱部材７０のフィン７２も、本体７１からの熱伝導によって加熱され、高温となっている。このため、本体７１の枠内を通過する空気は、そこに配置されたフィン７２の表面を通過することで、フィン７２からの熱伝達によって加熱されて高温となる。フィン７２は、密な区間７２２が配置されているヒータ間流路４５１、４５２において、空気との接触面積が特に大きくなっている。このため、ヒータ間流路４５１、４５２を通過する空気が優先的に加熱されて高温となり、吹出口３５の長手方向における空気の温度ムラを抑制することが可能となる。
【００５８】
続いて、図９を参照して、本発明の第４実施形態に係る浴室乾燥機の概略を説明する。図９は、本発明の第４実施形態に係る浴室乾燥機の送気装置を表す平面視模式図である。第４実施形態に係る浴室乾燥機は、ヒータの構成が第１実施形態に係る浴室乾燥機のヒータ４４ａ、４４ｂ、４４ｃと異なるものであり、その他の同一の構成については適宜説明を省略する。
【００５９】
図２を参照して説明したように、本発明の第１実施形態に係る浴室乾燥機３では、ファン４１が吹き出した空気は、パイプ４３の開放された端部４３ａから流入し、パイプ４３の内部の第２内部流路４０２を奥行方向に向けて流れる。第２内部流路４０２には、ヒータ４４ａ、４４ｂ、４４ｃが端部４３ａから吹出口３５の長手方向（奥行方向）に沿って、互いに間隔を空けて並べられている。このため、端部４３ａから第２内部流路４０２に流入した空気は、吹出口３５のうち端部４３ｂ側（奥側）の部位から吹き出される空気ほど、多数のヒータが発する熱により加熱されて高温となる傾向があり、吹出口３５の長手方向における空気の温度ムラの原因となる。
【００６０】
そこで、本発明の第４実施形態に係る浴室乾燥機では、パイプ４３の端部４３ａ側と、端部４３ｂ側とで、第２内部流路４０２に配置するヒータの発熱量に差異を設けることで、この温度ムラ解消を図っている。すなわち、端部４３ａ側から端部４３ｂ側にかけて配置されるヒータ４４ｄ、４４ｅ、４４ｆのうち、端部４３ｂ側に配置されるヒータ４４ｆは１つのヒータブロックから構成されるのに対し、端部４３ｂ側に配置されるヒータ４４ｄは、３つのヒータブロックから構成されものとしている。そして、両者の間に配置されるヒータ４４ｅは、２つのヒータブロックから構成されるものとしている。このように、構造上空気が比較的高温となりやすい端部４３ｂ側ほど、配置されるヒータの発熱量を小さくすることにより、吹出口３５の長手方向における空気の温度ムラを抑制することが可能となる。
【００６１】
ヒータの発熱量に差異を設ける方法としては、構成するヒータブロックの数に差異を設ける方法のみならず、ヒータ性能に差異を設ける方法や、各ヒータに供給する電力に差異を設ける方法など、種々の方法を採用し得る。
【００６２】
続いて、図１０を参照して、本発明の第５実施形態に係る浴室乾燥機の概略を説明する。図１０は、本発明の第５実施形態に係る浴室乾燥機の送気装置を表す側面視模式図である。詳細には、図１０は、送気装置３４を左右方向において左側面パネル２３側から見た図である。
【００６３】
図１０に表す本発明の第５実施形態に係る浴室乾燥機においては、パイプ４３の内側面の上部から、下方のヒータ４４ａ、４４ｂ、４４ｃ及び伝熱部材５０に向けて傾斜して突出するガイド壁４６が設けられている。ファン４１により吹き出され、パイプ４３内部の第２内部流路４０２に流入した空気は、ガイド壁４６によってヒータ４４ａ、４４ｂ、４４ｃ及び伝熱部材５０への指向性が高められる。したがって、空気を伝熱部材５０において積極的に受熱させることで、空気を確実に昇温させることができる。
【００６４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１    ：浴室乾燥機付きユニットバス
２    ：ユニットバス
３    ：浴室乾燥機
２０  ：浴室空間（浴室）
３１  ：吸気装置
３２  ：吸込口
３５  ：吹出口
４０１：第１内部流路
４０２：第２内部流路
４４ａ〜４４ｅ：ヒータ
４５１、４５２：ヒータ間流路
４６  ：ガイド壁（ガイド手段）
５０、６０、７０：伝熱部材
５２、６２：突出部
【図１】
2015194311.tif 000003
【図２】
2015194311.tif 000004
【図３】
2015194311.tif 000005
【図４】
2015194311.tif 000006
【図５】
2015194311.tif 000007
【図６】
2015194311.tif 000008
【図７】
2015194311.tif 000009
【図８】
2015194311.tif 000010
【図９】
2015194311.tif 000011
【図１０】
2015194311.tif 000012